(57)【要約】【課題】ヒカップモードで動作するレギュレータにおいてソフトスタートの実行の確実性を向上させる。【解決手段】レギュレータは、出力先に生じた過電流を検知する過電流検知部を備える。また、過電流検知部が過電流を検知した場合、レギュレータの動作の停止と起動とを繰り返すヒカップモードに移行させる制御部と、ヒカップモードにおいて、出力電圧を緩やかに立ち上げるためのソフトスタート電圧の発生源の放電と充電とを繰り返すソフトスタート部と、出力電圧に基づいてフィードバックされたフィードバック電圧と、ソフトスタート電圧との差分に応じた電圧を出力するエラーアンプと、ソフトスタート電圧がフィードバック電圧よりも高い場合、異常状態であると判断する異常検知部とを備える。【選択図】図１
2017051054.tif 000002
【特許請求の範囲】
【請求項１】
出力先に生じた過電流を検知する過電流検知部を備えるレギュレータであって、
前記過電流検知部が過電流を検知した場合、前記レギュレータの動作の停止と起動とを繰り返すヒカップモードに移行させる制御部と、
前記ヒカップモードにおいて、出力電圧を緩やかに立ち上げるためのソフトスタート電圧の発生源の放電と充電とを繰り返すソフトスタート部と、
出力電圧に基づいてフィードバックされたフィードバック電圧と、前記ソフトスタート電圧との差分に応じた電圧を出力するエラーアンプと、
前記ソフトスタート電圧が前記フィードバック電圧よりも高い場合、異常状態であると判断する異常検知部と、
を備えるレギュレータ。
【請求項２】
前記ソフトスタート部は、前記ヒカップモードにおいて放電と充電とが繰り返されるキャパシタを含み、
前記異常検知部が異常状態であると判断した場合、前記ソフトスタート部は、前記キャパシタの充電電流を増大させる
請求項１に記載のレギュレータ。
【請求項３】
前記異常検知部が異常状態であると判断した場合、前記エラーアンプは、前記レギュレータの動作を停止させるための所定値を出力する
請求項１に記載のレギュレータ。
【請求項４】
前記異常検知部が異常状態であると判断した場合、前記過電流検知部は、過電流を検知するための閾値を、前記ソフトスタート電圧と前記フィードバック電圧との差に応じて変更する
請求項１に記載のレギュレータ。
【請求項５】
前記異常検知部は、前記ソフトスタート電圧が所定電圧より大きく、且つ前記フィードバック電圧が前記所定電圧より小さい場合に、異常状態と判断する
請求項１から４のいずれか一項に記載のレギュレータ。
【発明の詳細な説明】
【技術分野】
【０００１】
本発明は、レギュレータに関する。
【背景技術】
【０００２】
従来、エラーアンプに入力される基準電圧を、０Ｖから基準電圧まで徐々に立ち上げるソフトスタート回路と、エラーアンプの入力を監視し、出力端子の出力ショート時、ソフトスタート回路を再度、ソフトスタートさせるソフトスタートリセット回路とを備えるレギュレータが提案されている（例えば、特許文献１）。このソフトスタートリセット回路は、エラーアンプの入力に平行して設置されるコンパレータと、コンパレータの入力にオフセットを与えるオフセット電圧と、コンパレータの比較結果に従ってオンオフし、出力ショート時にオンしてコンデンサをディスチャージするＮＰＮトランジスタとを備える。そのほかにも、レギュレータにおいてオーバーシュートを防ぐための様々な技術が提案されている（特許文献２、３等）。
【０００３】
また、スイッチング電源回路を並列運転する場合において、ヒカップモードにおける過電流保護動作の再起動を行うタイミングを揃える技術が提案されている（例えば、特許文献４）。
【先行技術文献】
【特許文献】
【０００４】
【特許文献１】特開２０１２−５９０５０号公報
【特許文献２】特開２０１４−３８５０号公報
【特許文献３】特開２０１１−１５２０２３号公報
【特許文献４】特開２００３−１６９４７１号公報
【発明の概要】
【発明が解決しようとする課題】
【０００５】
過電流保護のためのヒカップ方式と、ソフトスタート機能とを採用したレギュレータが存在する。具体的には、（１）過電流が検知されると、（２）レギュレータの動作を停止させるとともにソフトスタートのためのキャパシタを放電させ、（３）その後レギュレータの動作を再起動させるとともにキャパシタの充電を開始する。このようにすれば、レギュレータが動作を停止している期間の損失を低減することができる。また、レギュレータの起動時に、キャパシタの電圧の上昇に伴い電圧がなだらかに上昇するようになるため、過大な突入電流やオーバーシュートを防止することができる。
【０００６】
しかしながら、レギュレータを再起動させ、キャパシタの充電が進んだ状態（すなわち、ソフトスタートの基準となる電圧が上昇し始めた状態）においてショートが解除された場合、ソフトスタートの制御が機能せず、オーバーシュートが発生してしまうという問題があった。
【０００７】
本発明は、このような問題に鑑みてなされたものであり、ヒカップモードで動作するレギュレータにおいてソフトスタートの実行の確実性を向上させることを目的とする。
【課題を解決するための手段】
【０００８】
本発明に係るレギュレータは、出力先に生じた過電流を検知する過電流検知部を備える。また、過電流検知部が過電流を検知した場合、レギュレータの動作の停止と起動とを繰り返すヒカップモードに移行させる制御部と、ヒカップモードにおいて、出力電圧を緩や
かに立ち上げるためのソフトスタート電圧の発生源の放電と充電とを繰り返すソフトスタート部と、出力電圧に基づいてフィードバックされたフィードバック電圧と、ソフトスタート電圧との差分に応じた電圧を出力するエラーアンプと、ソフトスタート電圧がフィードバック電圧よりも高い場合、異常状態であると判断する異常検知部とを備える。
【０００９】
ヒカップモードにおいては、レギュレータの停止と起動を周期的に繰り返すことによって損失を低減させることができる。また、レギュレータの停止と起動に合わせて、ソフトスタート電圧も放電と充電とを繰り返すところ、ソフトスタート電圧の充電が進行した状態で例えば出力先のショートが解除されると、ソフトスタートが機能しないおそれがある。そこで、本発明に係るレギュレータは、ソフトスタート電圧がフィードバック電圧よりも高い場合に異常状態であると判断する。このようにすれば、ソフトスタートが機能しないおそれのある異常状態を特定することができるため、様々な対処をすることができ、ヒカップモードで動作するレギュレータにおいてソフトスタートの実行の確実性を向上させることができるようになる。
【００１０】
また、レギュレータは、ソフトスタート部は、ヒカップモードにおいて放電と充電とが繰り返されるキャパシタを含み、異常検知部が異常状態であると判断した場合、ソフトスタート部は、キャパシタの充電電流を増大させるようにしてもよい。このようにすれば、速やかにキャパシタの充電を行い、その後、放電する状態に遷移することができる。異常状態が続く期間を短縮することができるため、ヒカップモードで動作するレギュレータにおいてソフトスタートの実行の確実性を向上させることができるようになる。
【００１１】
また、レギュレータは、異常検知部が異常状態であると判断した場合、エラーアンプは、レギュレータの動作を停止させるための所定値を出力するようにしてもよい。このようにすれば、レギュレータの動作中に出力先のショートが解除されることを防ぐことができ、ヒカップモードで動作するレギュレータにおいてソフトスタートの実行の確実性を向上させることができるようになる。
【００１２】
また、レギュレータは、異常検知部が異常状態であると判断した場合、過電流検知部は、過電流を検知するための閾値を、ソフトスタート電圧とフィードバック電圧との差に応じて変更するようにしてもよい。なお、過電流と検知するための閾値を小さくすることで、急激に再起動電圧が立ち上がることが抑制される。また、ソフトスタート電圧とフィードバック電圧との差が大きいほど、過電流を検知するための閾値が小さくなるように変更してもよい。
【００１３】
また、異常検知部は、ソフトスタート電圧が所定電圧より大きく、且つフィードバック電圧が所定電圧より小さい場合に、異常状態と判断するようにしてもよい。このようにすれば、ソフトスタート電圧とフィードバック電圧の大小関係だけでなく、ソフトスタート電圧の下限及びフィードバック電圧の上限を基準として、より正確な異常状態の判断ができるようになる。
【００１４】
なお、課題を解決するための手段に記載の内容は、本発明の課題や技術的思想を逸脱しない範囲で可能な限り組み合わせることができる。また、課題を解決するための手段の内容は、回路が実行する方法として提供するようにしてもよい。
【発明の効果】
【００１５】
ヒカップモードで動作するレギュレータにおいてソフトスタートの実行の確実性を向上させることができる。
【図面の簡単な説明】
【００１６】
【図１】本実施形態にかかるレギュレータの一例を示す回路図である。
【図２】ソフトスタート時の電圧波形を示す模式的なグラフである。
【図３】比較例に係るレギュレータの一例を示す回路図である。
【図４】比較例に係るレギュレータのヒカップ動作を説明するための模式的なグラフである。
【図５】比較例に係るレギュレータのヒカップ動作を説明するための模式的なグラフである。
【図６】本実施形態に係るレギュレータの動作を説明するための模式的なグラフである。
【図７】異常状態を検知した際の処理の変形例１に係る回路図である。
【図８】変形例１に係るレギュレータの動作を説明するための模式的なグラフである。
【図９】異常状態を検知した際の処理の変形例２に係る回路図である。
【図１０】異常状態を検知した際の処理の変形例３に係る回路図である。
【図１１】変形例３に係るレギュレータの動作を説明するための模式的なグラフである。
【図１２】異常状態を検知した際の処理の変形例４に係る回路図である。
【発明を実施するための形態】
【００１７】
以下、添付図面を参照して説明する。図面に本発明の好ましい実施形態を示すが、本発明は多くの異なる形態で実施することが可能であり、本明細書に記載する実施形態には限定されない。
【００１８】
＜レギュレータの構成＞
図１は、本実施形態にかかるレギュレータ（スイッチングレギュレータ）の一例を示す回路図である。レギュレータは、入力端子に入力された電圧（Ｖin）を昇圧又は降圧させて所定の電圧を生成し、出力端子から出力する。なお、出力電圧をＶoutとする。入力端
子から出力端子への経路上には、抵抗器Ｒ１、スイッチＳＷ１、コイルＬ１が直列に接続されている。抵抗器Ｒ１は、電流値測定用の抵抗であり、その両端には過電流検知回路（Over Current Protection）ＯＣＰが並列に接続されている。過電流検知回路ＯＣＰは、
抵抗器Ｒ１の両端にかかる電圧が所定の閾値以上である場合に、過電流が流れていると判断する。抵抗器Ｒ１及び過電流検知回路ＯＣＰを、本発明に係る過電流検知部（図１：破線の角丸長方形１１）とも呼ぶものとする。
【００１９】
スイッチＳＷ１は、トランジスタ等のスイッチング素子であり、例えば汎用ＩＣで形成されるロジックドライバＬＤとも接続されている。また、スイッチＳＷ１は、ロジックドライバＬＤによって開閉が制御され、レギュレータの出力のデューティ比を変更することができる。なお、ロジックドライバＬＤは、過電流検知回路ＯＣＰとも接続され、過電流が検知された場合、レギュレータの動作の停止と起動とを周期的に繰り返すヒカップ制御を行う。コイルＬ１は、スイッチＳＷ１が閉じられる（オンになる）と自己誘導を起こしつつエネルギーが蓄積される。また、スイッチＳＷ１が開かれる（オフになる）と自己誘導起電力が発生し、エネルギーが放出される。ロジックドライバＬＤを、本発明に係る制御部（図１：破線の角丸長方形１２）とも呼ぶ。
【００２０】
また、スイッチＳＷ１とコイルＬ１との間には、ダイオードＤ１のカソードが接続されている。一方、ダイオードＤ１のアノードは、接地されている。また、コイルＬ１の出力端子側の一端には、キャパシタＣ１の一端が接続されている。一方、キャパシタＣ１の他端は、接地されている。同様に、コイルＬ１の出力端子側には、抵抗器Ｒ２及び抵抗器Ｒ３が直列に接続されている。なお、抵抗器Ｒ３の他端は接地されている。そして、レギュレータの出力電圧Ｖoutは、抵抗器Ｒ２及び抵抗器Ｒ３によって抵抗分割され、オペアン
プＯＰ１の反転入力端子にフィードバックされる。オペアンプＯＰ１は、エラーアンプとも呼ぶものとする。また、オペアンプＯＰ１の反転入力端子に入力される電圧を、フィードバック電圧ＦＢと呼ぶものとする。
【００２１】
オペアンプＯＰ１は、その出力端子がロジックドライバＬＤと接続されている。また、オペアンプＯＰ１の非反転入力端子には、所定の大きさの基準電圧Ｖrefと、ソフトスタ
ート制御の基準となるソフトスタート電圧ＳＳとのうち低い方の電圧が利用されるものとする。なお、オペアンプＯＰ１の基準電圧Ｖrefは、入力端子の電圧からツェナーダイオ
ード等を用いて生成する。ソフトスタート電圧ＳＳは、オペアンプＯＰ１の非反転入力端子に接続されたキャパシタＣ２の電圧になっている。また、キャパシタＣ２は、所定の電源とグラウンドの間に設けられた２つの定電流源Ｉ１及びＩ２の間に接続されている。よって、キャパシタＣ２は、定電流で充電され、その電圧は時間に比例して上昇する。なお、キャパシタＣ２と定電流源Ｉ１との間には、スイッチＳＷ２が接続されている。また、キャパシタＣ２と定電流源Ｉ２との間には、スイッチＳＷ３が接続されている。スイッチＳＷ２及びＳＷ３はロジックドライバＬＤと接続され、ロジックドライバＬＤによってスイッチＳＷ２及びＳＷ３の開閉が制御される。すなわち、ロジックドライバＬＤによって、キャパシタＣ２の充電及び放電が制御される。
【００２２】
図２は、ヒカップ動作における起動時にソフトスタートが実行された場合の電圧の波形を模式的に示すグラフである。図２に示すように、レギュレータの出力電圧Ｖoutは、基
準電圧Ｖrefとソフトスタート電圧ＳＳとのうち低い方を基準として生成される。すなわ
ち、レギュレータが時刻ｔ１において起動すると、時刻ｔ２までの立ち上がりの期間においては、出力電圧Ｖoutは、低い方のソフトスタート電圧ＳＳに追従した波形となってい
る。また、時刻ｔ２以降は、出力電圧Ｖoutは、低い方の基準電圧Ｖrefに追従した波形となっている。基準電圧Ｖrefは、上述のようにツェナーダイオード等を用いて生成され、
立ち上がりは急峻であるが、精度よく所定の電圧を生成することができる。一方、ソフトスタート電圧ＳＳはなだらかに上昇するため、オーバーシュートや過大な突入電流の発生を防止するために利用することができる。
【００２３】
なお、ソフトスタート制御の基準となるソフトスタート電圧ＳＳを生成するためのキャパシタＣ２は、過電流が検知されている間、図示していないスイッチを切り替えることで、ソフトスタート電圧ＳＳが所定の閾値以上に上昇すると放電させられ、ソフトスタート電圧ＳＳが他の閾値以下に降下すると充電をさせられるという処理を周期的に繰り返す。なお、２つの定電流源及びキャパシタＣ２を、本発明に係るソフトスタート部（図１：破線の角丸長方形１３）とも呼ぶものとする。
【００２４】
そして、本実施の形態に係るレギュレータは、オペアンプＯＰ１の反転入力端子に入力されるフィードバック電圧ＦＢの大きさと、オペアンプＯＰ１の非反転入力端子に入力されるソフトスタート電圧ＳＳの大きさとを比較するコンパレータ（比較器）ＣＭＰ１を備えている。すなわち、コンパレータＣＭＰ１の一方の入力端子は、オペアンプＯＰ１の反転入力端子と接続されており、コンパレータＣＭＰ１の他方の入力端子は、キャパシタＣ２及びオペアンプＯＰ１の非反転入力端子に接続されている。
【００２５】
そして、過電流が検知されている（すなわち、ヒカップ動作を行っている）場合であって、フィードバック電圧ＦＢよりもソフトスタート電圧ＳＳの方が大きいとき、出力電圧Ｖoutが異常状態であると判断する。ここで、異常状態とは、出力先（すなわち、出力端
子の先）のショートが解除された場合にオーバーシュートの発生を防止できないおそれがある状態をいうものとする。コンパレータＣＭＰ１の出力端子は、例えば図１に示すようにロジックドライバＬＤと接続され、ロジックドライバＬＤが、異常状態であるという判断に基づく制御を行うようにしてもよい。なお、コンパレータＣＭＰ１を、本発明に係る
異常検知部（図１：破線の角丸長方形１４）とも呼ぶものとする。
【００２６】
＜比較例＞
図３は、比較例に係るレギュレータの一例を示す回路図である。比較例については、上述した実施形態と対応する構成要素には同一の符号を付し、差異を中心に説明する。図３のレギュレータは、異常検知部（すなわち、コンパレータＣＭＰ１）を備えていない点で、上述の実施形態に係るレギュレータと異なる。なお、その他の構成は同様である。
【００２７】
図４は、比較例に係るレギュレータのヒカップ動作を説明するための模式的なグラフである。図４のグラフは、横軸が時間を表し、縦軸が電圧を表している。期間（１）において過電流検知回路ＯＣＰが過電流を検知すると、期間（２）に示すようにロジックドライバＬＤはレギュレータの動作を停止させる。このとき、キャパシタＣ２を放電させ、ソフトスタート電圧ＳＳが低下する。その後、期間（３）に示すように、キャパシタＣ２を充電させる。期間（２）では、レギュレータの動作を制しているものとする。
【００２８】
また、図５は、期間（３）においてレギュレータを再起動させ、キャパシタの充電が進んだ状態において出力先のショート（たとえば、グラウンドショート）が解除された場合の波形を示す模式的なグラフである。図５に示すように、ソフトスタートの基準となる電圧がある程度上昇した状態においてショートが解除されると、ソフトスタートが機能せず、オーバーシュートが発生してしまう（図５：破線の円）。
【００２９】
＜実施形態に係るレギュレータの作用・効果＞
図６は、図１に示した実施形態に係るレギュレータの動作を説明するための模式的なグラフである。図６のグラフも、横軸が時間を表し、縦軸が電圧を表している。また、図１の回路図に示したように、フィードバック電圧ＦＢは出力電圧Ｖoutを抵抗分割して生成
されるものであり、フィードバック電圧ＦＢは出力電圧Ｖoutよりも所定の大きさだけ小
さい値になっている。なお、フィードバック電圧ＦＢは、抵抗器Ｒ２及び抵抗器Ｒ３の抵抗値によって決まるが、オペアンプＯＰ１に帰還させる都合上、０Ｖまでは降下しないようになっている。また、ソフトスタート電圧ＳＳは、キャパシタＣ２を放電する期間（２）の最後には０Ｖ近くまで降下し、フィードバック電圧ＦＢを下回る。また、期間（３）においては、フィードバック電圧ＦＢよりもソフトスタート電圧ＳＳの方が大きくなる時点（図６：破線の円）が存在する。上述の実施形態では、このような状態を異常状態と判断するため、異常状態の後の期間（３）においてショートが解除された場合に備えた処理をすることができるようになっている。実施形態に係るレギュレータによれば、ヒカップモードで動作するレギュレータにおいてソフトスタートの実行の確実性を向上させることができるようになる。
【００３０】
＜変形例１＞
図７は、異常状態を検知した際の処理の変形例１に係る回路図である。変形例１についても、図１に示した回路図と対応する構成要素には同一の符号を付し、差異を中心に説明する。変形例１では、コンパレータＣＭＰ１の出力に基づいて、ソフトスタート制御部の定電流源を制御するように接続されている。具体的には、ロジックドライバＬＤと定電流源Ｉ１とがさらに接続され、コンパレータＣＭＰ１の出力に応じて、ロジックドライバＬＤは、定電流源Ｉ１が出力する充電電流を増大させるように制御する。
【００３１】
また、図８は、変形例１に係るレギュレータの動作を説明するための模式的なグラフである。変形例１においては、過電流が検知されている場合において、フィードバック電圧ＦＢよりもソフトスタート電圧ＳＳの方が大きくなったとき、ソフトスタート制御部のキャパシタＣ２の充電電流を増大させ、上述の実施形態よりも短時間でソフトスタート電圧ＳＳを上昇させる。したがって、ヒカップモードにおいてレギュレータが動作している期
間（３）を短縮することができ、ひいては当該期間においてショートの解除が発生する可能性を低減させることができる。すなわち、レギュレータの動作期間（３）のうち、ショートの解除によってオーバーシュートが発生する可能性があるのは、ソフトスタート電圧ＳＳがフィードバック電圧ＦＢを上回っている期間であるが、本変形例によれば当該期間を事実上無視できるほど短くでき、この間にショートが解除される可能性もほぼないと見做してよい。よって、変形例１に係る構成によっても、ヒカップモードで動作するレギュレータにおいてソフトスタートの実行の確実性を向上させることができるようになる。
【００３２】
＜変形例２＞
図９は、異常状態を検知した際の処理の変形例２に係る回路図である。変形例２についても、図１に示した回路図と対応する構成要素には同一の符号を付し、差異を中心に説明する。変形例２では、コンパレータＣＭＰ１の出力端子が、過電流検知回路ＯＣＰに接続されている。そして、変形例２においては、過電流が検知されている場合において、フィードバック電圧ＦＢよりもソフトスタート電圧ＳＳの方が大きくなったとき、過電流検知回路ＯＣＰの過電流検知に用いる閾値（過電流検知レベルとも呼ぶ）を絞る。具体的には、過電流検知後に過電流検知レベルを変更する。このとき、ソフトスタート電圧ＳＳとフィードバック電圧ＦＢとの差電圧に応じて、過電流検知レベルを決定する。なお、過電流と検知するための閾値を小さくすることで、急激に再起動電圧が立ち上がることが抑制される。また、ソフトスタート電圧とフィードバック電圧との差が大きいほど、過電流を検知するための閾値が小さくなるように変更してもよい。変形例２に係る構成によっても、ヒカップモードで動作するレギュレータにおいてソフトスタートの実行の確実性を向上させることができるようになる。
【００３３】
＜変形例３＞
図１０は、異常状態を検知した際の処理の変形例３に係る回路図である。変形例３についても、図１に示した回路図と対応する構成要素には同一の符号を付し、差異を中心に説明する。変形例３の場合、コンパレータＣＭＰ１の出力によっては、オペアンプＯＰ１の出力を所定の電圧に変更する。具体的には、過電流が検知されている場合において、フィードバック電圧ＦＢよりもソフトスタート電圧ＳＳの方が大きくなったとき、オペアンプＯＰ１の出力を例えば０Ｖ（Ｌｏｗ）にする。なお、このような処理は、ロジックドライバＬＤが、オペアンプＯＰ１の出力とコンパレータＣＭＰ１の出力とに基づいて行うようにしてもよい。
【００３４】
図１１は、変形例３に係るレギュレータの動作を説明するための模式的なグラフである。図１１に示すように、フィードバック電圧ＦＢよりもソフトスタート電圧ＳＳの方が大きくなると、オペアンプＯＰ１の出力ＥＡをＬｏｗにする。これにより、変形例３に係るレギュレータは動作を停止する。変形例３に係る構成によっても、ヒカップモードで動作するレギュレータにおいてソフトスタートの実行の確実性を向上させることができるようになる。なお、オペアンプＯＰ１の出力ＥＡがＨｉｇｈのときにレギュレータの動作を停止させる構成にしてもよい。
【００３５】
＜変形例４＞
図１２は、異常状態を検知した際の処理の変形例４に係る回路図である。変形例４についても、図１に示した回路図と対応する構成要素には同一の符号を付し、差異を中心に説明する。変形例４では、異常状態の判断の基準となる基準電圧Ｖ１が、２つのコンパレータに印加される。具体的には、コンパレータＣＭＰ１の一方の入力端子には基準電圧Ｖ１が印加される。また、コンパレータＣＭＰ１の他方の入力端子には、ソフトスタート電圧ＳＳが印加される。そして、コンパレータＣＭＰ２の一方の入力端子には、基準電圧Ｖ１が印加される。また、コンパレータＣＭＰ２の他方の入力端子にはフィードバック電圧ＦＢが印加される。一方、コンパレータＣＭＰ１及びコンパレータＣＭＰ２の出力は、ＡＮ
Ｄゲートと接続されており、ＡＮＤゲートの出力はロジックドライバＬＤと接続されている。そして、ソフトスタート電圧ＳＳが基準電圧Ｖ１よりも大きく、且つフィードバック電圧ＦＢが基準電圧Ｖ１よりも小さい場合に、本変形例では異常状態であると判断される。なお、コンパレータＣＭＰ１、コンパレータＣＭＰ２及びＡＮＤゲートは、本発明における異常判定部に相当する。
【００３６】
変形例４の構成であっても、異常判定部においては、フィードバック電圧ＦＢよりもソフトスタート電圧ＳＳの方が大きい場合に異常状態であると判断している。ただし、変形例４では、異常状態の判断の基準となる基準電圧Ｖ１を用いている。したがって、単にフィードバック電圧ＦＢよりもソフトスタート電圧ＳＳの方が大きいだけでは異常状態と判断されず、さらにフィードバック電圧ＦＢが所定の上限値（基準電圧Ｖ１）よりも小さく、フィードバック電圧ＦＢが所定の下限値（基準電圧Ｖ１）よりも大きい場合に異常状態であると判断される。このようにすれば、異常状態であると判断する際の精度が向上する。変形例４に係る構成によっても、ヒカップモードで動作するレギュレータにおいてソフトスタートの実行の確実性を向上させることができるようになる。
【００３７】
なお、変形例４の構成は、上述した変形例１〜３と組み合わせることもできる。例えば、変形例４に示したＡＮＤゲートの出力に基づいて、変形例１に示した充電電流を増大させる処理を行うようにしてもよい。同様に、変形例４に示したＡＮＤゲートの出力に基づいて、変形例２に示した過電流検知レベルの変更処理を行うようにしてもよい。また、変形例４に示したＡＮＤゲートの出力に基づいて、変形例３に示したエラーアンプの出力変更処理を行うようにしてもよい。
【００３８】
＜その他の変形例＞
本発明は、上述した実施の形態に限定されるものではなく、本発明の趣旨を逸脱しない範囲内において変更することができる。例えば、上述した回路は集積回路に搭載するようにしてもよい。
【符号の説明】
【００３９】
１１  過電流検知部
ＯＣＰ  過電流検知回路
１２  制御部
ＬＤ  ロジックドライバ
１３  ソフトスタート部
１４  異常検知部
ＣＭＰ１  コンパレータ
ＯＰ１  オペアンプ（エラーアンプ）
【図１】
2017051054.tif 000003
【図２】
2017051054.tif 000004
【図３】
2017051054.tif 000005
【図４】
2017051054.tif 000006
【図５】
2017051054.tif 000007
【図６】
2017051054.tif 000008
【図７】
2017051054.tif 000009
【図８】
2017051054.tif 000010
【図９】
2017051054.tif 000011
【図１０】
2017051054.tif 000012
【図１１】
2017051054.tif 000013
【図１２】
2017051054.tif 000014